(57)【特許請求の範囲】
【請求項１】
車両内の装置への広告配信に対する報酬を計算するための報酬計算システムであって、
広告が配信された装置が位置する車両内で車両乗員が前記広告に反応したことを示す反応情報、及び、前記車両に関する特徴情報を取得するように構成される取得部と、
前記取得部が取得した前記反応情報及び前記特徴情報に基づき、前記車両乗員が反応した前記広告の配信に対する報酬を計算するように構成される報酬計算部と、
を備え、
前記車両乗員が前記広告に反応したことは、前記広告の広告目的に対応する場所を、前記車両内のナビゲーションシステムが案内する経路の目的地に設定する操作を前記車両乗員が実行したことであり、
前記特徴情報は、前記広告目的に対応する場所に前記目的地が設定されたときの前記車両の位置を示し、
前記報酬計算部は、前記目的地が設定されたときの前記車両の位置から前記広告目的に対応する場所までの移動距離に基づいて、前記移動距離が長いほど前記報酬の額を増加させるように、前記報酬を計算する報酬計算システム。
【請求項２】
前記特徴情報は更に、前記広告目的に対応する場所に前記目的地が設定される直前まで設定されていた別の目的地の有無を示し、
前記報酬計算部は、前記移動距離及び前記別の目的地の有無に基づいて、前記移動距離が長いほど前記報酬の額を増加させ、更には、前記別の目的地が有った場合には、前記別の目的地が無かった場合よりも、前記報酬の額を増加させるように、前記報酬を計算する請求項１記載の報酬計算システム。
【請求項３】
前記特徴情報は更に、前記車両内の車両乗員数を示し、
前記報酬計算部は、前記移動距離及び前記車両乗員数に基づいて、前記移動距離が長いほど前記報酬の額を増加させ、更には、前記車両乗員数が多いほど前記報酬の額を増加させるように、前記報酬を計算する請求項１記載の報酬計算システム。
【請求項４】
前記特徴情報は更に、前記車両内の前記車両乗員の少なくとも一人の購買行動又は嗜好に関する特徴を示し、
前記報酬計算部は更に、前記車両乗員の少なくとも一人の購買行動又は嗜好に関する特徴に基づき前記報酬の額を変更するように、前記報酬を計算する請求項１〜請求項３のいずれか一項項記載の報酬計算システム。
【請求項５】
請求項１〜請求項４のいずれか一項記載の報酬計算システムにおける前記取得部及び前記報酬計算部としてコンピュータを機能させるためのコンピュータプログラム。
【請求項６】
車両内の装置への広告配信に対する報酬を計算するための報酬計算方法であって、
コンピュータが、
広告が配信された装置が位置する車両内で車両乗員が前記広告に反応したことを示す反応情報、及び、前記車両に関する特徴情報を取得することと、
取得した前記反応情報及び前記特徴情報に基づき、前記車両乗員が反応した前記広告の配信に対する報酬を計算することと、
を含み、
前記車両乗員が前記広告に反応したことは、前記広告の広告目的に対応する場所を、前記車両内のナビゲーションシステムが案内する経路の目的地に設定する操作を前記車両乗員が実行したことであり、
前記特徴情報は、前記広告目的に対応する場所に前記目的地が設定されたときの前記車両の位置を示し、
前記報酬を計算することは、前記目的地が設定されたときの前記車両の位置から前記広告目的に対応する場所までの移動距離に基づいて、前記移動距離が長いほど前記報酬の額を増加させるように、前記報酬を計算することを含む報酬計算方法。
【請求項７】
前記特徴情報は更に、前記広告目的に対応する場所に前記目的地が設定される直前まで設定されていた別の目的地の有無を示し、
前記報酬は、前記移動距離及び前記別の目的地の有無に基づいて、前記移動距離が長いほど前記報酬の額が増加し、更には、前記別の目的地が有った場合には、前記別の目的地が無かった場合よりも前記報酬の額が増加するように、計算される請求項６記載の報酬計算方法。
【請求項８】
前記特徴情報は更に、前記車両内の車両乗員数を示し、
前記報酬は、前記移動距離及び前記車両乗員数に基づいて、前記移動距離が長いほど前記報酬の額が増加し、更には、前記車両乗員数が多いほど前記報酬の額が増加するように、計算される請求項６記載の報酬計算方法。
【請求項９】
前記特徴情報は更に、前記車両内の前記車両乗員の少なくとも一人の購買行動又は嗜好に関する特徴を示し、
前記報酬は、更に、前記車両乗員の少なくとも一人の購買行動又は嗜好に関する特徴に基づき、前記報酬の額を変更するように、計算される請求項６〜請求項８のいずれか一項項記載の報酬計算方法。
【発明の詳細な説明】
【技術分野】
【０００１】
本開示は、報酬計算システム、コンピュータプログラム、及び報酬計算方法に関する。
【背景技術】
【０００２】
ナビゲーションシステムを備える車両内の装置に、広告を配信する技術が既に知られている（例えば特許文献１参照）。既知のシステムでは、レストランや駐車場に関する広告を、車両内の装置に配信する。車両乗員は、車両内の装置上のメニュー操作により、利用したい店舗や施設を選択し、店舗や施設に関する予約を行うことができる。更に、従来システムでは、集計した予約累計を広告効果に換算して、報償金を算出する。
【０００３】
この他、インターネット上の広告配信に関して、消費者が、広告に基づいて広告主のウェブサイトに移動したことや、広告に関する商品を購入したことに基づいて、広告配信に関する報酬としての広告配信料を算出し、広告主に広告配信料を請求する方法も知られている。
【先行技術文献】
【特許文献】
【０００４】
【特許文献１】特開２００２−１６３５２０号公報
【発明の概要】
【発明が解決しようとする課題】
【０００５】
しかしながら、車両内の装置への広告配信に関して、広告効果を考慮した報酬計算を適切に行うことが可能な技術は、まだ知られていない。
【０００６】
そこで、本開示の一側面によれば、車両内の装置への広告配信に関して、広告配信に関する報酬計算を、広告効果を考慮して適切に行うことが可能な技術を提供できることが望ましい。
【課題を解決するための手段】
【０００７】
本開示の一側面によれば、車両内の装置への広告配信に対する報酬を計算するための報酬計算システムが提供される。報酬計算システムは、取得部と、報酬計算部と、を備える。
【０００８】
取得部は、反応情報及び特徴情報を取得するように構成される。反応情報は、広告が配信された装置が位置する車両内で車両乗員が広告に反応したことを示す情報を含む。特徴情報は、車両乗員又は車両の特徴を示す情報を含む。
【０００９】
報酬計算部は、取得部が取得した反応情報及び特徴情報に基づき、車両乗員が反応した広告の配信に対する報酬を計算するように構成される。本開示の一側面によれば、報酬計算システムは、車両乗員が反応した広告の配信に対する報酬の額が、車両乗員又は車両の特徴に応じて変化するように構成される。
【００１０】
車両乗員が広告に反応して、広告目的に対応する場所を訪問する場合、その訪問によって広告主が得られる効果は、車両乗員や車両の特徴によって変化し得る。従って、車両乗員又は車両の特徴に応じて報酬額を変えるように、報酬を計算することによれば、広告配信に関する報酬計算を、広告効果を考慮して適切に行うことができる。
【００１１】
本開示の一側面によれば、車両乗員が広告に反応したことは、広告目的に対応する場所を車両内のナビゲーションシステムが案内する経路の目的地に設定する操作を車両乗員が実行したことであってもよい。
【００１２】
車両乗員が広告目的に対応する場所を目的地に設定する操作を実行した場合、車両乗員が、その場所を訪れる可能性は非常に高い。従って、広告目的に対応する場所を目的地に設定する操作に応じた報酬計算によれば、広告効果を考慮した適切な報酬計算を実現することができる。
【００１３】
本開示の一側面によれば、上記特徴情報は、車両乗員が広告に反応したときの車両の位置を示す情報を含んでいてもよい。本開示の一側面によれば、報酬の額は、車両乗員が広告に反応したときの車両の位置と、広告目的に対応する場所との位置関係に応じて変化してもよい。
【００１４】
本開示の一側面によれば、上記特徴情報は、広告目的に対応する場所に目的地が設定されたときの車両の位置を示してもよい。報酬の額は、目的地が設定されたときの車両の位置から広告目的に対応する場所までの移動距離が長いほど増加するように計算されてもよい。
【００１５】
上述した報酬計算によれば、遠方からの送客に成功した場合のような高い広告効果が得られた広告配信に関して、適切な報酬計算を実現することができる。
【００１６】
本開示の一側面によれば、特徴情報は、広告目的に対応する場所に目的地が設定される直前まで設定されていた別の目的地の有無を示してもよい。報酬の額は、別の目的地が有った場合には、別の目的地が無かった場合よりも、増加するように計算されてもよい。
【００１７】
広告に反応して車両乗員が目的地を変更した場合には、高い広告効果が得られたと解釈することができる。従って、上述した報酬計算によれば、目的地変更による高い広告効果を考慮した報酬計算を実現することができる。
【００１８】
本開示の一側面によれば、特徴情報は、車両内の車両乗員の構成に関する情報を含んでもよい。車両乗員の構成に関する情報は、車両内の車両乗員数を示していてもよい。報酬の額は、車両乗員数が多いほど増加するように計算されてもよい。
【００１９】
広告に反応して一台の車両が広告目的に対応した場所を訪問した場合でも、その訪問により得られる広告効果は、車両乗員数によって変化する。従って、車両乗員数を考慮した報酬計算によれば、広告効果を考慮した適切な報酬計算を実現することができる。
【００２０】
本開示の一側面によれば、特徴情報は、車両内の車両乗員の少なくとも一人の購買行動又は嗜好に関する特徴を示す情報を含んでいてもよい。報酬の額は、車両内の複数の車両乗員の購買行動又は嗜好に関する特徴に基づき、算出されてもよい。
【００２１】
本開示の一側面によれば、上述した報酬計算システムにおける取得部及び報酬計算部としてコンピュータを機能させるためのコンピュータプログラムが提供されてもよい。コンピュータプログラムは、コンピュータ読取可能な一時的ではない記録媒体に格納されてもよい。
【００２２】
本開示の一側面によれば、上述した報酬計算システムに対応する報酬計算方法が提供されてもよい。
【００２３】
本開示の一側面によれば、車両内の装置への広告配信に対する報酬を計算するための報酬計算方法が提供されてもよい。報酬計算方法は、広告が配信された装置が位置する車両内で車両乗員が広告に反応したことを示す反応情報、及び、車両乗員又は車両の特徴を示す特徴情報を取得することと、取得した反応情報及び特徴情報に基づき、車両乗員が反応した広告の配信に対する報酬を計算することと、を含んでもよい。
【００２４】
上記の報酬計算方法において、車両乗員が反応した広告の配信に対する報酬の額は、車両乗員又は車両の特徴に応じて変化してもよい。報酬計算方法は、コンピュータにより実現されてもよい。
【図面の簡単な説明】
【００２５】
【図１】本開示の例示実施形態に係るシステムの概略構成を表すブロック図である。
【図２】ユーザ装置の概略構成を表すブロック図である。
【図３】ユーザ装置のプロセッサが実行する広告出力処理を表すフローチャートである。
【図４】ユーザ装置のプロセッサが実行する操作受付処理を表すフローチャートである。
【図５】広告データ、通知データ、及び、反応データの送受に関する説明図である。
【図６】管理システムのプロセッサが実行する履歴記録処理を表すフローチャートである。
【図７】図７Ａは、配信履歴データベースの構成を表す図であり、図７Ｂは、反応履歴データベースの構成を表す図である。
【図８】管理システムのプロセッサが実行する報酬計算処理を表すフローチャートである。
【図９】管理システムのプロセッサが実行する加算料の算出処理を表すフローチャートである。
【図１０】ユーザ装置のプロセッサが実行する訪問に基づく反応データの送信処理を表すフローチャートである。
【発明を実施するための形態】
【００２６】
以下に、本開示の例示的実施形態を、図面を参照しながら説明する。
図１に示す本実施形態の通信システム１は、広告配信サービスを提供する事業者側システムとしての広告配信システム１０及び管理システム３０と、広告コンテンツを受信する複数のユーザ装置７０とを備える。
【００２７】
この広告配信サービスで配信される広告コンテンツは、車両５０で移動する消費者向けの広告コンテンツであり、画像及び音声の少なくとも一方の形態でユーザに提供される。車両５０の例には、四輪自動車が含まれる。
【００２８】
ユーザ装置７０のそれぞれは、予め利用登録がなされたユーザが所有する電子機器、特には通信機能を有する電子機器である。電子機器の例には、車両５０に搭載されたカーナビゲーション装置、及び、同種の機能を有する他の電子機器が含まれる。他の電子機器の例には、車両５０内に持ち込み可能なナビゲーションシステムを有する電子機器が含まれ、該当する電子機器には、スマートフォン及びタブレット端末等の携帯端末が含まれる。
【００２９】
広告配信システム１０は、保有する広告コンテンツの一群に基づき、広域ネットワークＮＴ１を通じて、複数のユーザ装置７０のそれぞれに、個別の広告データを配信するように構成される。
【００３０】
具体的には、広告配信システム１０は、複数のユーザ装置７０のそれぞれに、対応するユーザの属性及び車両５０の位置に応じて、広告コンテンツの一群の中から選択した広告コンテンツを収めた広告データを、適切なタイミングで配信するように構成される。
【００３１】
管理システム３０は、プロセッサ３１、メモリ３２、ストレージ３３、及び、通信インタフェース３９を備える。プロセッサ３１は、ストレージ３３に記録されたコンピュータプログラムに従う処理を実行するように構成される。
【００３２】
メモリ３２は、主記憶装置であり、プロセッサ３１によるコンピュータプログラムに従う処理実行時に、作業用メモリとして機能する。ストレージ３３は、補助記憶装置であり、例えばハードディスクドライブにより構成される。通信インタフェース３９は、広告配信システム１０及びユーザ装置７０と通信可能に構成される。
【００３３】
ストレージ３３は、ユーザそれぞれのユーザＩＤ及びユーザ属性を含む登録情報を有するユーザデータベースと、広告配信の履歴情報を有する配信履歴データベースと、広告に対するユーザの反応に関する履歴情報を有する反応履歴データベースと、を記憶する。
【００３４】
プロセッサ３１は、上記コンピュータプログラムに従う処理を実行することにより、広告配信システム１０に、ユーザに関する情報を提供し、更には、ユーザ装置７０からの受信情報に基づき、広告配信及びユーザの反応に関する履歴情報を管理する。更には、プロセッサ３１は、履歴情報から、広告主に対して請求する広告配信に対する報酬である広告配信料Ｆを計算及び出力するように動作する（詳細後述）。
【００３５】
ユーザ装置７０は、車両５０内において、車内ネットワークＮＴ２を通じて車載システム５１と接続され、車載システム５１と連携しながら、ユーザに対して広告コンテンツを画像及び音声の形態で出力するように動作する。
【００３６】
図２に示すように、ユーザ装置７０は、プロセッサ７１と、メモリ７２と、ストレージ７３と、ＧＰＳ受信機７５と、入力インタフェース７６と、スピーカ７７と、ディスプレイ７８と、通信インタフェース７９と、を備える。
【００３７】
プロセッサ７１は、ストレージ７３に記録されたコンピュータプログラムに従う処理を実行する。メモリ７２は、主記憶装置であり、プロセッサ７１によるコンピュータプログラムに従う処理実行時に、作業用メモリとして機能する。ストレージ７３は、補助記憶装置であり、例えば、フラッシュメモリにより構成される。
【００３８】
ＧＰＳ受信機７５は、ＧＰＳ衛星から受信したＧＰＳ衛星信号に基づき、現在位置を計測し、その位置情報をプロセッサ７１に提供するように構成される。入力インタフェース７６は、ユーザからの操作信号をプロセッサ７１に入力するように構成される。具体的に、入力インタフェース７６は、ディスプレイ７８上のタッチパネル、メカニカルなキースイッチ、及び、音声操作用のマイクロフォンを備える。
【００３９】
スピーカ７７は、プロセッサ７１により制御されて、各種音声を出力するように構成される。ディスプレイ７８は、例えば、液晶ディスプレイであり、プロセッサ７１に制御されて、操作画面、ナビゲーション画面、メッセージ画面等の各種画面を、ユーザに表示するように構成される。
【００４０】
通信インタフェース７９は、広告配信システム１０及び管理システム３０と広域ネットワークＮＴ１を無線通信可能な構成され、更には、車内ネットワークＮＴ２を通じて、車載システム５１と無線通信可能に構成される。
【００４１】
車載システム５１は、車両５０の駐停車及び運転開始に関する情報、並びに、車両乗員の構成に関する情報等の、ユーザ装置７０が自ら直接取得できない情報を、ユーザ装置７０が車載システム５１から間接的に取得するために利用される。
【００４２】
続いて、ユーザ装置７０のプロセッサ７１が、広告コンテンツの出力のために実行する処理の詳細を説明する。プロセッサ７１は、ユーザ装置７０に予めインストールされたコンピュータプログラムに従って、図３に示す広告出力処理を繰返し実行する。コンピュータプログラムは、ユーザ装置７０の出荷時にプリインストールされてもよいし、ダウンロードサイトを通じてユーザ装置７０にインストールされてもよい。
【００４３】
ユーザ装置７０がカーナビゲーション装置である場合、プロセッサ７１は、電力供給を受けている間、繰返し広告出力処理を実行することができる。ユーザ装置７０がスマートフォンなどの車両５０内に持ち込まれる携帯型の電子機器である場合、プロセッサ７１は、ユーザ装置７０が車載システム５１と車内ネットワークＮＴ２を通じて接続されている期間、広告出力処理を繰返し実行することができる。別例として、プロセッサ７１は、ユーザから入力インタフェース７６を通じて広告出力処理の開始指示が入力されたことを条件に、終了指示が入力されるまでの間、広告出力処理を繰返し実行することができる。
【００４４】
プロセッサ７１は、広告出力処理の繰返し実行を開始する前の初期処理として、広告配信システム１０にユーザの識別情報である上記ユーザＩＤを送信し、広告配信システム１０とユーザ装置７０との接続を確立することができる。
【００４５】
接続確立後、プロセッサ７１は、広告出力処理とは並列に、広告配信システム１０が配信対象の広告コンテンツを選択するに必要な情報、例えば車両５０の位置情報を、逐次、広告配信システム１０に提供する処理を実行する。車両５０の位置情報は、例えば、ＧＰＳ受信機７５から取得される現在位置情報である。この現在位置情報は、車両乗員の位置情報ということもできる。
【００４６】
図３に示す広告出力処理を開始すると、プロセッサ７１は、広告データを広告配信システム１０から受信するまで待機する（Ｓ１１０）。広告データを受信すると（Ｓ１１０でＹｅｓ）、プロセッサ７１は、受信履歴をログデータに書き込む（Ｓ１２０）。ログデータは、ストレージ７３で記憶される。ログデータには、受信した広告データが有する情報の一部又は全てを格納することができる。
【００４７】
更に、プロセッサ７１は、受信した広告データに含まれる広告コンテンツを音声及び画像の形態で、車両５０内のユーザ、すなわち車両乗員に向けて出力する（Ｓ１３０）。
【００４８】
例えば、プロセッサ７１は、スピーカ７７を通じて『Ａ店舗でＢキャンペーンを実施中です。ご利用しませんか？』との音声が出力されるように、スピーカ７７に対して音声信号を出力する処理を実行することができる。プロセッサ７１は、この音声の出力に合わせて、対応するメッセージが画像の形態、特には文字の形態で表示されるように、ディスプレイ７８を制御することができる。
【００４９】
プロセッサ７１は、Ｓ１３０における広告コンテンツの出力後、この広告コンテンツの出力完了を通知する通知データを、管理システム３０に送信する処理を実行する（Ｓ１４０）。プロセッサ７１は、上述したＳ１１０〜Ｓ１４０の処理を、終了条件が満足されるまで繰返し実行する。
【００５０】
プロセッサ７１は更に、広告出力処理により出力された広告コンテンツに対する、図４に示す操作受付処理を繰返し実行することにより、出力された広告コンテンツに関連する操作を、入力インタフェース７６を通じてユーザから受け付けて、操作に従う処理を実行する。
【００５１】
操作受付処理を開始すると、プロセッサ７１は、出力された広告コンテンツに基づく目的地の設定操作がなされた否かを判断する（Ｓ２１０）。目的地の設定操作がなされたと判断すると（Ｓ２１０でＹｅｓ）、プロセッサ７１は、上記広告コンテンツの広告目的に対応する場所までの経路案内が、ユーザ装置７０のナビゲーションシステムにより実現されるように、対応する場所を経路案内の目的地に設定する（Ｓ２１５）。目的地の設定操作は、ユーザの音声操作、例えば、『目的地に設定して』との音声による目的地の設定指示によって実現され得る。
【００５２】
Ｓ２１５における目的地の設定のために、広告配信システム１０からユーザ装置７０に送信する広告データには、ユーザが広告目的に対応する場所への訪問を所望した場合に設定すべき目的地の位置情報を示す付属情報を含ませることができる。ここでいう広告目的に対応する場所は、広告コンテンツにより期待されるユーザの消費行動が実現される場所を含む。広告コンテンツが施設や店舗を宣伝することを目的とした広告コンテンツである場合、広告目的に対応する場所は、上記施設や店舗である。
【００５３】
図５には、広告配信システム１０からユーザ装置７０に送信される広告データの一例を概念的に示す。この例によれば、広告データは、広告コンテンツと共に、広告配信システム１０が広告配信毎に発行する配信ＩＤと、広告コンテンツの識別コードであるコンテンツＩＤと、広告コンテンツと、付属情報と、を含む。
【００５４】
プロセッサ７１は、Ｓ２１５の処理実行後、Ｓ２５０に移行し、車両５０及び車両乗員に関する特徴情報を取得する。更に、プロセッサ７１は、取得した上記特徴情報を含む反応データを管理システム３０に送信する（Ｓ２６０）。その後、操作受付処理を終了する。反応データは、ユーザによる広告への反応を説明するデータであり、管理システム３０が広告効果に基づく広告配信料Ｆの算出を行うために用いられる。
【００５５】
図５には、反応データ及び特徴情報の例もまた示される。図５に示すように反応データは、ユーザが反応した広告コンテンツに対応する配信ＩＤ及びコンテンツＩＤの情報と共に、反応したユーザのユーザＩＤ、反応分類情報、及び、特徴情報を含む。
【００５６】
反応分類情報は、ユーザが広告コンテンツへの反応として採った行動の種類を表す情報である。ユーザが目的地の設定操作をしたことに起因して、反応データが送信されることになった場合、反応データには、反応分類情報として、ユーザが目的地の設定操作をしたことを示す情報が格納される。
【００５７】
特徴情報は、ユーザが広告コンテンツに反応したときの、車両５０及び車両乗員の特徴を表す。本実施形態では、特徴情報として、ユーザが広告コンテンツに反応したときの車両位置、及び、車両乗員数を表す情報が、反応データに格納される。
【００５８】
特徴情報として、車両位置、及び、車両乗員数を表す情報を反応データに格納するために、Ｓ２５０において、プロセッサ７１は、ＧＰＳ受信機７５から現在位置情報を取得し、更に、車載システム５１から車両乗員数を表す情報を取得することができる。このために、車載システム５１は、車室内の映像から車両乗員数を検出する機能、あるいは、着座センサ等の車室内のセンサから車両乗員数を検出する機能を備えることができる。
【００５９】
あるいは、プロセッサ７１は、車両５０の運転開始時に、ユーザに対して音声で車両乗員数を問い合わせて、音声によりユーザから車両乗員数を表す情報を取得し、その情報をメモリ７２に一時記憶するように動作することができる。この場合、プロセッサ７１は、Ｓ２５０において、メモリ７２から車両乗員数を表す情報を取得するように動作することができる。
【００６０】
ユーザが目的地の設定操作をしたことに起因して、反応データが送信される場合、反応データには、上記特徴情報として、目的地変更の有無を表す情報、及び、目的地の位置情報が更に格納される。ここでいう目的地変更の有無を表す情報は、ユーザが目的地の設定操作をする直前まで設定されていた別の目的地の有無を表す情報である。
【００６１】
図５には、更にＳ１４０で送信される通知データの例が図示される。図５から理解できるように、通知データは、ユーザに向けて出力された広告コンテンツに対応する配信ＩＤ、コンテンツＩＤ、及び、広告コンテンツの提供を受けたユーザのユーザＩＤの情報を有する。
【００６２】
図４に示すように、プロセッサ７１は、目的地の設定操作がなされていないと判断すると（Ｓ２１０でＮｏ）、続くＳ２２０にて、広告コンテンツに対応する店舗に対する予約操作がなされたか否かを判断する。そして、予約操作がなされたと判断すると（Ｓ２２０でＹｅｓ）、広告コンテンツに対応する店舗に対する予約処理を実行する（Ｓ２２５）。
【００６３】
予約処理は、広告コンテンツに対応する店舗に対して、ユーザが利用することに関する予約を行う処理に対応する。この予約処理のために、広告データには、対応する店舗の予約に必要な情報を、上記付属情報として格納することができる。
【００６４】
例えば、広告データには、付属情報として、店舗の予約サイトのＵＲＬ情報を格納することができる。予約処理において、プロセッサ７１は、音声を通じたユーザとのやり取りによって、店舗の予約時刻等の情報をユーザから入力インタフェース７６を通じて取得することができる。更に、プロセッサ７１は、取得した情報に基づいて、予約サイトにアクセスし、店舗の予約を完了することができる。プロセッサ７１は、予約の成立有無の情報を、スピーカ７７やディスプレイ７８を通じてユーザに伝達し、Ｓ２２５における予約処理を完了することができる。
【００６５】
Ｓ２２５での処理を終えると、プロセッサ７１は、上述した特徴情報を取得し（Ｓ２５０）、取得した特徴情報を含む反応データを管理システム３０に送信する（Ｓ２６０）。その後、操作受付処理を終了する。ユーザが予約操作をしたことに起因して、反応データが送信されることになった場合、反応データには、反応分類情報として、予約操作をしたことを示す情報が格納される。
【００６６】
図４に示すように、プロセッサ７１は、予約操作がなされていないと判断すると（Ｓ２２０でＮｏ）、続いて、クーポンの発行操作がなされたか否かを判断する（Ｓ２３０）。そして、クーポンの発行操作がなされたと判断すると（Ｓ２３０でＹｅｓ）、電子クーポンの発行処理を実行する（Ｓ２３５）。
【００６７】
この発行処理で発行される電子クーポンは、広告コンテンツに対応する店舗の利用時に使用可能なクーポンである。クーポンの例には、割引券が含まれる。広告データには、付属情報として、電子クーポンの発行のために必要な情報を格納することができる。例えば、付属情報には、対応する店舗のクーポン発行サイトのＵＲＬ情報を格納することができる。
【００６８】
発行処理において、プロセッサ７１は、付属情報から特定されるクーポン発行サイトにアクセスして、クーポン発行サイトとの協働により、対応する店舗の電子クーポンを、ユーザに対して発行することができる。具体的には、電子クーポンをユーザの携帯端末に対して発行することができる。
【００６９】
ユーザ装置７０が、ユーザの携帯端末である場合、プロセッサ７１は、電子クーポンの情報を利用可能にユーザ装置７０内に格納することができる。ユーザ装置７０が、ユーザの携帯端末ではない場合には、電子メール等の伝達手段を利用して、電子クーポンをユーザの携帯端末に対して発行することができる。
【００７０】
Ｓ２３５での処理を終えると、プロセッサ７１は、上述した特徴情報を取得し（Ｓ２５０）、取得した特徴情報を含む反応データを管理システム３０に送信する（Ｓ２６０）。その後、操作受付処理を終了する。ユーザがクーポンの発行操作をしたことに起因して、反応データが送信されることになった場合、反応データには、反応分類情報として、クーポンの発行操作をしたことを示す情報が格納される。
【００７１】
図４に示すように、プロセッサ７１は、クーポンの発行操作がなされていないと判断すると（Ｓ２３０でＮｏ）、続いて、関連するウェブページの閲覧操作がなされたか否かを判断する（Ｓ２４０）。そして、ウェブページの閲覧操作がなされたと判断すると（Ｓ２４０でＹｅｓ）、ウェブ表示処理を実行する（Ｓ２４５）。
【００７２】
このウェブ表示処理のために、広告データには、付属情報として、広告コンテンツに対応するウェブページのＵＲＬ情報を含ませることができる。広告コンテンツに対応するウェブページの例には、広告コンテンツに対応する商品やサービスを紹介するウェブページが含まれる。
【００７３】
ウェブ表示処理において、プロセッサ７１は、付属情報に基づき、ウェブブラウザを起動し、ウェブブラウザを通じて、対応するウェブページをディスプレイ７８に表示させることができる。
【００７４】
Ｓ２４５での処理を終えると、プロセッサ７１は、上述した特徴情報を取得し（Ｓ２５０）、取得した特徴情報を含む反応データを管理システム３０に送信する（Ｓ２６０）。その後、操作受付処理を終了する。ユーザがウェブページの閲覧操作をしたことに起因して、反応データが送信されることになった場合、反応データには、反応分類情報として、ウェブページの閲覧操作をしたことを示す情報が格納される。
【００７５】
このようにして、プロセッサ７１は、目的地の設定操作、店舗の予約操作、クーポンの発行操作、及び、ウェブページの閲覧操作がなされた場合には、対応する処理を実行するようにして、繰返し操作受付処理を実行する。
【００７６】
続いて、ユーザ装置７０からの通知データ及び反応データを受信する管理システム３０のプロセッサ３１が実行する処理を説明する。
【００７７】
プロセッサ３１は、図６に示す履歴記録処理を繰返し実行することにより、ユーザ装置７０からの通知データ及び反応データに基づき、広告コンテンツの配信履歴、及び、広告コンテンツに対応するユーザの反応履歴を記録するように動作する。
【００７８】
図６に示す履歴記録処理において、プロセッサ３１は、通知データ及び反応データのいずれかを受信するまで待機する（Ｓ３１０，Ｓ３２０）。通知データを受信すると（Ｓ３１０でＹｅｓ）、プロセッサ３１は、受信した通知データに基づく配信履歴レコードを登録するように、配信履歴データベースを更新する（Ｓ３３０）。
【００７９】
図７Ａに示すように、配信履歴データベースは、配信履歴レコードとして、通知データの受信毎のレコード、換言すれば、ユーザ装置７０を通じたユーザに対する広告コンテンツの出力毎のレコードを有する。
【００８０】
配信履歴レコードは、対応する通知データと同様に、出力された広告コンテンツに対応する配信ＩＤ及びコンテンツＩＤ、並びに、広告コンテンツの提供を受けたユーザのユーザＩＤの情報を含む。配信履歴レコードは、更に、当該レコードの登録日時の情報を有する。登録日時は、広告コンテンツの配信日時に対応する。
【００８１】
この他、プロセッサ３１は、反応データを受信すると（Ｓ３２０Ｙｅｓ）、受信した反応データに基づく反応履歴レコードを登録するように、反応履歴データベースを更新する（Ｓ３４０）。
【００８２】
図７Ｂに示すように、反応履歴データベースは、反応履歴レコードとして、反応データの受信毎のレコード、換言すれば、広告コンテンツに対するユーザの反応毎のレコードを有する。
【００８３】
反応履歴レコードは、対応する反応データと同様に、出力された広告コンテンツに対応する配信ＩＤ及びコンテンツＩＤと共に、広告コンテンツに反応したユーザのユーザＩＤ、反応分類情報、及び、特徴情報を含む。反応履歴レコードは、更に、レコードの登録日時の情報を有する。登録日時は、広告コンテンツに対するユーザの反応日時に対応する。
【００８４】
このようにして、プロセッサ３１は、広告配信料Ｆの計算のために、通知データに基づく配信履歴レコード、及び、反応データに基づく反応履歴レコードをそれぞれ、配信履歴データベース及び反応履歴データベースに記録する。
【００８５】
この他、管理システム３０のプロセッサ３１は、広告配信料Ｆの計算のために、所定期間毎に、図８に示す報酬計算処理を実行する。これにより、プロセッサ３１は、所定期間における各広告主の広告コンテンツの配信に関する広告配信料Ｆを計算する。
【００８６】
図８に示す報酬計算処理を開始すると、プロセッサ３１は、広告配信料Ｆを請求する対象の広告主を選択する（Ｓ４１０）。その後、プロセッサ３１は、選択した広告主の広告コンテンツＩＤが記述された配信履歴レコードの一群であって、広告配信料Ｆの算出対象期間に登録された配信履歴レコードの一群を、配信履歴データベースから読み込む（Ｓ４２０）。
【００８７】
一例によれば、管理システム３０は、広告主毎に、対応する広告主から出稿された広告コンテンツのそれぞれのコンテンツＩＤの情報を有する管理データを、ストレージ３３に記憶することができる。
【００８８】
プロセッサ３１は、この管理データに基づいて、選択した広告主の広告コンテンツＩＤが記述された配信履歴レコードの一群を、配信履歴データベースから読み込むことができる。別例によれば、コンテンツＩＤ自体が、広告主を識別可能な情報（広告主ＩＤ）を有していてもよい。
【００８９】
更に、プロセッサ３１は、読み込んだ配信履歴レコードの一群が示す配信ＩＤと同じ配信ＩＤが記述された反応履歴レコードの一群を、反応履歴データベースから読み込む（Ｓ４３０）。ここで読み込む反応履歴レコードの一群は、読み込んだ配信履歴レコードの一群に対応する広告コンテンツの出力事象に対するユーザの反応を示すレコード群である。
【００９０】
続くＳ４４０において、プロセッサ３１は、Ｓ４２０で読み込んだ配信履歴レコードの一群に基づき、上記選択した広告主の広告コンテンツの配信回数Ｎに基づいた基本広告配信料Ｆ１を算出する（Ｓ４４０）。基本広告配信料Ｆ１は、配信回数Ｎが多いほど、高い金額で算出され得る。
【００９１】
例えば、プロセッサ３１は、一次関数に基づき、配信回数Ｎに比例した金額Ｆ１＝Ｋ１×Ｎで基本広告配信料Ｆ１を算出し得る。別例によれば、基本広告配信料Ｆ１は、配信回数Ｎを変数とする階段関数に基づいて算出されてもよいし、一次関数以外の広義単調増加関数に基づいて算出されてもよい。
【００９２】
その後、プロセッサ３１は、広告コンテンツに対するユーザの反応を根拠とした第一の加算料Ｆ２として、目的地の設定操作を根拠とした第一の加算料Ｆ２を算出する（Ｓ４５０）。Ｓ４５０において、プロセッサ３１は、図９に示す処理を実行することができる。
【００９３】
図９に示す処理を開始すると、プロセッサ３１は、Ｓ４３０で読み込んだ反応履歴レコードの一群から、処理対象レコードを一つ選択する（Ｓ５１０）。そして、選択した処理対象レコードに基づき、Ｓ５２０〜Ｓ５７０の処理を実行することにより、処理対象レコードを根拠とする広告配信料Ｆの加算料である個別加算料ＦＡ２を算出する。
【００９４】
詳述すると、Ｓ５２０においてプロセッサ３１は、移動距離に基づく第一のスコアを算出する。移動距離は、処理対象レコードの特徴情報が示す、目的地の設定操作時における、ユーザの車両位置から、特徴情報が示す目的地の位置までの距離である。簡単な例によれば、移動距離は、直線距離であり得る。
【００９５】
具体的に、プロセッサ３１は、移動距離が長いほど第一のスコアが高くなるように、所定関数に基づき、第一のスコアを算出する。高い値で第一のスコアが算出されるほど、上述の個別加算料ＦＡ２は高い金額で算出される。
【００９６】
続いて、プロセッサ３１は、目的地変更の有無に基づく第二のスコアを算出する（Ｓ５３０）。Ｓ５３０において、プロセッサ３１は、処理対象レコードの特徴情報が示す目的地変更の有無を表す情報に基づき、第二のスコアを算出する。具体的には、プロセッサ３１は、目的地変更があった場合には、目的地変更がなった場合よりも第二のスコアを高く算出するように、第二のスコアを算出する。高い値で第二のスコアが算出されるほど、上述の個別加算料ＦＡ２は高い金額で算出される。
【００９７】
続くＳ５４０において、プロセッサ３１は、目的地の設定操作時の車両乗員の構成に基づく第三のスコアを算出する。Ｓ５４０において、プロセッサ３１は、処理対象レコードの特徴情報が示す車両乗員数に基づき、車両乗員数が多いほど第三のスコアが高くなるように、所定関数に基づき、第三のスコアを算出することができる。例えば、プロセッサ３１は、車両乗員数に比例した第三のスコアを算出することができる。
【００９８】
続くＳ５５０において、プロセッサ３１は、処理対象レコードが示すユーザＩＤに基づき、対応するユーザの嗜好に関する特徴データを取得する。特徴データは、ユーザ登録時に、ユーザに対するアンケートに基づいて作成され得る。
【００９９】
続くＳ５６０において、プロセッサ３１は、取得した嗜好に関する特徴データに基づき、嗜好に基づく第四のスコアを算出する。具体的には、プロセッサ３１は、特徴データが示すユーザの嗜好属性と、処理対象レコードに対応する広告コンテンツの属性との類似度に基づき、類似度が低いほど第四のスコアが高くなるように、第四のスコアを算出する。高い値で第四のスコアが算出されるほど、上述の個別加算料ＦＡ２は高い金額で算出される。
【０１００】
Ｓ５６０における上記処理のために、管理システム３０は、広告コンテンツ毎の、コンテンツＩＤ、及び、広告コンテンツの属性を、ストレージ３３に記憶することができる。類似度は、嗜好属性に対応する特徴ベクトルと、広告コンテンツの属性に対応する特徴ベクトルとの間のコサイン距離などを用いて算出され得る。
【０１０１】
ここで、類似度が低いほど第四のスコアとして高い値を算出する理由は、類似度が低いほど、新しい顧客の送客に成功したと解釈することができるためである。例えば、ラーメン好きの消費者に対して、そば店への送客に成功した場合には、高い広告効果があったと評価することができる。上述した嗜好の例には、食、ライフスタイル、レジャー等に関する嗜好が含まれ得る。
【０１０２】
続くＳ５７０において、プロセッサ３１は、Ｓ５２０〜Ｓ５６０で算出した第一、第二、第三、及び第四のスコアの合算値Ｓに基づき、個別加算料ＦＡ２を算出する。具体的に、プロセッサ３１は、個別加算料ＦＡ２を、合算値Ｓが大きいほど高い金額として算出することができる。
【０１０３】
一例によれば、プロセッサ３１は、合算値Ｓを一次関数に入力して、合算値Ｓに比例した個別加算値ＦＡ２を算出することができる。別例によれば、プロセッサ３１は、合算値Ｓを階段関数や、その他の広義単調増加関数に入力して、関数に応じた個別加算値ＦＡ２を算出することができる。
【０１０４】
続くＳ５８０において、プロセッサ３１は、Ｓ４３０で読み込んだ反応履歴レコードの一群のすべてについて、それぞれを処理対象レコードに選択し、対応する個別加算料ＦＡ２を算出したかを判断する。
【０１０５】
Ｓ５８０において否定判断した場合（Ｓ５８０でＮｏ）、プロセッサ３１は、次の処理対象レコードを選択し（Ｓ５１０）、選択した処理対象レコードに関して、Ｓ５２０〜Ｓ５７０の処理を実行することにより、上記選択した処理対象レコードを根拠とする加算料を、個別加算料ＦＡ２として算出する。
【０１０６】
このようにして、プロセッサ３１は、反応履歴レコードの一群のすべてについて、それぞれに対応する個別加算料ＦＡ２を算出すると、Ｓ５８０で肯定判断し、Ｓ５９０に移行する。
【０１０７】
Ｓ５９０において、プロセッサ３１は、個別加算料ＦＡ２の合算値ΣＦＡ２として、目的地の設定操作を根拠とした第一の加算料Ｆ２を算出する。その後、図９に示す処理を終了する。
【０１０８】
Ｓ４５０において第一の加算料Ｆ２を算出すると、プロセッサ３１は、続いて、目的地の設定操作以外の、予約操作、クーポンの発行操作、ウェブページの閲覧操作に関するユーザの反応に基づく、第二の加算料Ｆ３を算出する（Ｓ４６０）。
【０１０９】
プロセッサ３１は、Ｓ４３０で読み込んだ反応履歴レコードの一群から特定される、予約操作回数、クーポンの発行回数、及びウェブページの閲覧操作回数に基づいて、これらの回数が多いほど、高い金額を算出するように、第二の加算料Ｆ３を算出する。
【０１１０】
その後、プロセッサ３１は、基本広告配信料Ｆ１に、第一の加算料Ｆ２及び第二の加算料Ｆ３を加算した額（Ｆ１＋Ｆ２＋Ｆ３）を、広告主に請求する広告配信料Ｆとして算出し、その計算結果を出力する（Ｓ４７０）。
【０１１１】
例えば、プロセッサ３１は、ストレージ３３が記憶する請求リストに、対応する広告主に対する請求額（すなわち広告配信料Ｆ）を書き込む形で、計算結果を出力することができる。
【０１１２】
Ｓ４７０での処理を終えると、プロセッサ３１は、すべての広告主を選択してＳ４２０以降の処理を実行したか否かを判断する（Ｓ４８０）。ここで、否定判断すると（Ｓ４８０でＮｏ）、プロセッサ３１は、Ｓ４１０に移行し、新たに広告配信料Ｆを請求する対象の広告主を選択した後、Ｓ４２０以降の処理を実行する。
【０１１３】
プロセッサ３１は、すべての広告主に関してＳ４２０以降の処理を実行したと判断すると（Ｓ４８０でＹｅｓ）、図８に示す報酬計算処理を終了する。
【０１１４】
以上に、本実施形態の通信システム１の構成を説明したが、上述した通信システム１は次のように変形されてもよい。例えば、Ｓ５４０において、プロセッサ３１は、車両乗員の構成としての一人、カップル、ファミリー等の分類に基づいて、第三のスコアを算出するように動作してもよい。
【０１１５】
Ｓ５５０において、プロセッサ３１は、嗜好に関する特徴データに代えて、対応するユーザの購買行動に関する特徴データ、具体的には、対応するユーザの購履歴データを取得してもよい。プロセッサ３１は、消費者の購買行動を追跡するシステムから、対応するユーザの購買履歴データを取得することができる。購買履歴データは、オフライン空間及びオンライン空間の少なくとも一方におけるユーザの購買履歴を含み得る。
【０１１６】
プロセッサ３１は、Ｓ５６０において、購買履歴データに基づく、ユーザの購買に関する特徴ベクトルを生成し、この特徴ベクトルと、広告コンテンツの属性に関する特徴ベクトルとに基づき、ユーザの購買に関する特徴と広告コンテンツの属性との類似度を判定してもよい。
【０１１７】
プロセッサ３１は、このように判定した類似度に基づいて第四のスコアを算出してもよい。プロセッサ３１は、類似度が低いほど高い第四のスコアを算出することができる。このように第四のスコアを算出することによれば、プロセッサ３１は、車両乗員の購買行動を根拠に、新規顧客を送客したことに応じた加算料Ｆ２を算出することができる。
【０１１８】
この他、複数のユーザが一つの車両５０に同乗する場合には、同乗する複数のユーザの購買履歴データに基づいて、第四のスコアが算出されてもよい。この場合、プロセッサ３１は、ユーザ毎に、対応するユーザの購買に関する特徴と広告コンテンツの属性との類似度を判定し、類似度の統計量（例えば平均値）に基づいて第四のスコアを算出することができる。
【０１１９】
例えば、プロセッサ３１は、類似度の平均値が低いほど高い第四のスコアを算出することができる。この思想は、購買履歴データに代えて、嗜好に関する特徴データを用いる場合にも適用することができる。
【０１２０】
この他、ユーザ装置７０のプロセッサ７１は、図１０に示す処理を繰返し実行して、ユーザが広告目的に対応する場所を訪問したときに、対応する反応データを、管理システム３０に送信するように動作してもよい。
【０１２１】
図１０に示す処理によれば、プロセッサ７１は、車両５０が駐車状態に遷移するまで待機する（Ｓ６１０）。駐車状態に遷移したことは、車載システム５１から得られる情報に基づき判定可能である。
【０１２２】
プロセッサ７１は、駐車状態に遷移したと判断すると（Ｓ６１０でＹｅｓ）、受信履歴に関する上記ログデータを参照して（Ｓ６２０）、所定期間内に出力された一つ以上の広告コンテンツの広告目的に対応する場所を特定する。広告目的に対応する場所は、対応する広告データの付属情報が示す目的地に対応する。
【０１２３】
その後、プロセッサ７１は、広告目的に対応する場所のいずれかに、車両５０が位置するかを、ユーザ装置７０のＧＰＳ受信機７５から得られる現在位置情報に基づき判断する（Ｓ６３０）。
【０１２４】
ここで、肯定判断すると（Ｓ６３０でＹｅｓ）、プロセッサ７１は、ユーザが広告目的に対応する場所を訪問したとみなして、Ｓ２５０，Ｓ２６０での処理と同様に、特徴情報を取得し（Ｓ６４０）、反応データを管理システム３０に送信する（Ｓ６５０）。その後、図１０に示す処理を終了する。この場合、反応データには、反応分類情報として、ユーザが広告目的に対応する場所を訪問したことを示す情報が格納される。
【０１２５】
Ｓ６３０において否定判断すると、プロセッサ７１は、反応データを送信することなく、図１０に示す処理を終了する。プロセッサ７１が、図１０に示す処理を繰返し実行することにより、管理システム３０のプロセッサ３１は、ユーザの反応として、広告目的に対応する場所をユーザが訪問したことに応じた広告配信料Ｆを計算することができる。例えば、ユーザが訪問したときには、広告配信料Ｆを上げるように、広告配信料Ｆを算出することができる。
【０１２６】
本実施形態の通信システム１における広告配信料Ｆの算出形態によれば、広告に対してユーザの反応があったことに基づいて金額を加算するように、広告配信料Ｆを計算する。特には、車両乗員又は車両５０の特徴に応じて加算料を変えるように、広告配信料Ｆを計算する。従って、広告配信料Ｆの計算を、広告効果を考慮して適切に行うことができる。
【０１２７】
広告効果の高さに応じて適切な広告配信料Ｆを算出することができることは、広告効果と支払額との乖離を抑えることができる点で、広告配信サービスを利用する広告主にとって有益である。
【０１２８】
具体的に、本実施形態によれば、広告コンテンツの出力に起因して設定された目的地までの移動距離に基づく広告配信料Ｆの計算により、遠方からの送客に成功したほど、広告配信料Ｆを高くするように、広告配信料Ｆを計算することができる。
【０１２９】
また、車両乗員数に基づく広告配信料Ｆの計算により、送客人数が多いほど、広告配信料Ｆを高くするように、広告配信料Ｆを計算することができる。
【０１３０】
更には、車両乗員の購買履歴又は嗜好に基づく広告配信料Ｆの計算により、新たな顧客の送客に成功した場合には、広告配信料Ｆを増額するように、広告配信料Ｆを計算することができる。この他、目的地変更を伴う送客など、広告効果の高い広告配信に対して適切な加算料Ｆ２を計算することができる。
【０１３１】
本実施形態によれば、目的地の設定操作をした後、目的地への移動をキャンセルする人が多くないことに注目して、目的地の設定操作を根拠に送客成功とみなして、広告配信料Ｆの計算を行うことも有意義である。この手法によれば、目的地への到着を判別する場合よりも、簡単に、精度よく送客に応じた広告配信料Ｆの計算を行うことができる。この観点から、図１０に示す処理を実行することは、送客に応じた広告配信料Ｆの計算を行うために必須のものではない。
【０１３２】
以上には、事業者側システムが、広告配信システム１０と管理システム３０と備える通信システム１の構成について説明したが、広告配信システム１０及び管理システム３０の機能は統合されてもよい。
【０１３３】
この他、上記実施形態では、様々なパラメータに基づいて加算料Ｆ２及び加算料Ｆ３を算出したが、説明したパラメータの一部に基づいて、加算料Ｆ２及び加算料Ｆ３を算出してもよいし、説明されていないパラメータに基づいて、加算料Ｆ２及び加算料Ｆ３を算出してもよい。加算料Ｆ２及び加算料Ｆ３の一方はゼロであってもよい。基本広告配信料Ｆ１は、ゼロであってもよい。
【０１３４】
Ｓ４５０において、プロセッサ３１は、単に、Ｓ４３０で読み込んだ反応履歴レコードの一群から特定される目的地の設定操作回数に基づいて、目的地の設定操作回数が多いほど高い加算料Ｆ２を算出してもよい。
【０１３５】
プロセッサ３１は、目的地の設定操作回数、目的地の訪問回数、店舗の予約操作回数、クーポンの発行回数、クーポンの使用回数、ウェブページの閲覧操作回数の一つ以上に基づいて、広告配信料Ｆを算出してもよい。
【０１３６】
上記実施形態における１つの構成要素が有する機能は、複数の構成要素に分散して設けられてもよい。複数の構成要素が有する機能は、１つの構成要素に統合されてもよい。上記実施形態の構成の一部は、省略されてもよい。特許請求の範囲に記載の文言から特定される技術思想に含まれるあらゆる態様が本開示の実施形態である。
【０１３７】
最後に用語間の対応関係を説明する。管理システム３０は、報酬計算システムの一例に対応する。プロセッサ３１が実行するＳ３２０，Ｓ３４０，Ｓ５５０の処理は、取得部により実現される処理の一例に対応する。プロセッサ３１が実行する図８に示す処理は、報酬計算部により実現される処理の一例に対応する。
【符号の説明】
【０１３８】
１…通信システム、１０…広告配信システム、３０…管理システム、３１…プロセッサ、３２…メモリ、３３…ストレージ、３９…通信インタフェース、５０…車両、５１…車載システム、７０…ユーザ装置、７１…プロセッサ、７２…メモリ、７３…ストレージ、７５…ＧＰＳ受信機、７６…入力インタフェース、７７…スピーカ、７８…ディスプレイ、７９…通信インタフェース、ＮＴ１…広域ネットワーク、ＮＴ２…車内ネットワーク。
【要約】      （修正有）【課題】車両内の装置への広告配信に関する報酬を適切に計算する報酬計算システムを提供する。【解決手段】報酬計算システム１は、広告配信システム１０及び管理システム３０と、広告コンテンツを受信する複数のユーザ装置７０とを備える。広告配信システム１０は、複数のユーザ装置７０のそれぞれに、対応するユーザの属性及び車両５０の位置に応じて、広告コンテンツの一群の中から選択した広告コンテンツを収めた広告データを、適切なタイミングで配信するように構成される。ユーザ装置７０は、車両５０内において、ユーザに対して広告コンテンツを出力する。管理システム３０は、広告が配信された車両内で車両乗員が広告に反応したことを示す反応情報、及び、車両乗員又は車両の特徴を示す特徴情報をユーザ装置７０から取得する。更に、取得した反応情報及び特徴情報に基づき、車両乗員が反応した広告の配信に対する報酬を計算する。【選択図】図１【図１】
0006735401.tif 000002
【図２】
0006735401.tif 000003
【図３】
0006735401.tif 000004
【図４】
0006735401.tif 000005
【図５】
0006735401.tif 000006
【図６】
0006735401.tif 000007
【図７】
0006735401.tif 000008
【図８】
0006735401.tif 000009
【図９】
0006735401.tif 000010
【図１０】
0006735401.tif 000011